(57)【要約】【課題】動画から気に入ったシーンの周辺画を簡単に切り出して記録することができる画像処理プログラム及び画像処理装置を提供する。【解決手段】動画は液晶モニタ３０の「動画表示領域」に再生表示される。この動画再生中にメニュー／ＯＫボタンを押して静止画抽出指令を出すと、その静止画抽出指令が入力された瞬間の直前、直後又は前後の静止画データが、静止画抽出指令が入力された瞬間の静止画データと共に所定コマ数分、所定間隔をもって動画データから抽出される。そして、液晶モニタ３０の「静止画表示領域」に再生表示されると共に、静止画ファイルとしてメモリカードに記録される。【選択図】    図１０
2004312495.tif 000002
【特許請求の範囲】
【請求項１】
記録媒体に記録された動画データを再生処理して、モニタ上に設定された動画表示領域に動画を表示する機能と、
前記動画データの再生中に入力される静止画抽出指令に基づいて、その静止画抽出指令が入力された瞬間の直前、直後又は前後の静止画データを前記静止画抽出指令が入力された瞬間の静止画データとともに所定コマ数分、所定間隔で前記動画データから抽出する機能と、
抽出した各静止画データを再生処理して、前記モニタ上の前記動画表示領域とは異なる領域に複数設定された静止画表示領域に静止画を表示する機能と、
抽出した前記各静止画データを記録媒体に記録する機能と、
をコンピュータに実行させることを特徴とする画像処理プログラム。
【請求項２】
記録媒体に記録された動画データを再生処理し、モニタ上に設定された動画表示領域に動画を表示する動画再生手段と、
前記動画表示領域に表示された動画中の１コマに対して静止画としての記録を指示する記録指示手段と、
前記記録指示手段から与えられた記録指示に応じて、その記録指示が与えられた瞬間の直前、直後又は前後の静止画データを前記記録指示が与えられた瞬間の静止画データとともに所定コマ数分、所定間隔で前記動画データから抽出する静止画データ抽出手段と、
前記静止画データ抽出手段で抽出した各静止画データを再生処理して、前記モニタ上の前記動画表示領域とは異なる領域に複数設定された静止画表示領域に静止画を表示する静止画再生手段と、
前記静止画データ抽出手段で抽出した各静止画データを記録媒体に記録する記録手段と、
を備えたことを特徴とする画像処理装置。
【請求項３】
前記動画データから抽出する静止画データのコマ数、間隔を指示する抽出条件指示手段を備え、前記静止画データ抽出手段は、該抽出条件指示手段で指示されたコマ数、間隔で前記動画データから前記静止画データを抽出することを特徴とする請求項２に記載の画像処理装置。
【請求項４】
前記静止画データ抽出手段で抽出した各静止画データの記録の実行を指示する記録実行指示手段を備え、前記記録手段は、該記録実行指示手段からの記録実行の指示に基づいて前記静止画データ抽出手段で抽出した各静止画データを記録媒体に記録することを特徴とする請求項２又は３に記載の画像処理装置。
【請求項５】
撮影光学系と、
撮像素子と、
前記撮影光学系を介して前記撮像素子で撮像される画を所定の周期で連続的に取り込み、動画データを作成する動画データ作成手段と、
前記動画データ作成手段によって作成された動画データを記録媒体に記録する動画データ記録手段と、
を備えたことを特徴とする請求項２、３又は４に記載の画像処理装置。
【発明の詳細な説明】
【０００１】
【発明の属する技術分野】
本発明は画像処理プログラム及び画像処理装置に係り、特に動画から静止画を抽出して記録する画像処理プログラム及び画像処理装置に関する。
【０００２】
【従来の技術】
従来より、撮影済みの動画から静止画を切り出し、元となる動画データとは別に静止画データとして記録媒体に記録することが行なわれている。
【０００３】
たとえば、特許文献１では、画面に再生される動画を確認しながら、気に入ったシーンでシャッターキーを押すと、そのシーンが静止画としてプリントされる装置が提案されている。
【０００４】
また、特許文献２では、記録媒体に記録された動画から、あらかじめ定められた所定時間ごとに出力シーンを抽出し、静止画として他の記録媒体に出力することが提案されている。
【０００５】
【特許文献１】
特開平７−１７７４５３号公報
【０００６】
【特許文献２】
特開２０００−１５２１６５号公報
【０００７】
【発明が解決しようとする課題】
しかしながら、特許文献１では、特定のワンシーンしか静止画として記録（プリント）することができないため、その前後の画も記録したい場合には、１回１回記録するシーンを指定しなければならないという欠点がある。特に、連写のように一定の間隔で複数コマの画を記録したい場合には、操作者自らが時間調整をして記録する画を指定しなければならず、手間がかかるという欠点がある。
【０００８】
また、特許文献２では、動画の先頭から一定の間隔で静止画が自動的に抽出されていくため、ユーザが希望するシーンを抽出できないという欠点がある。
【０００９】
本発明はこのような事情に鑑みてなされたもので、動画から気に入ったシーンの周辺画を簡単に切り出して記録することができる画像処理プログラム及び画像処理装置を提供することを目的とする。
【００１０】
【課題を解決するための手段】
請求項１に係る発明は、前記目的を達成するために、記録媒体に記録された動画データを再生処理して、モニタ上に設定された動画表示領域に動画を表示する機能と、前記動画データの再生中に入力される静止画抽出指令に基づいて、その静止画抽出指令が入力された瞬間の直前、直後又は前後の静止画データを前記静止画抽出指令が入力された瞬間の静止画データとともに所定コマ数分、所定間隔で前記動画データから抽出する機能と、抽出した各静止画データを再生処理して、前記モニタ上の前記動画表示領域とは異なる領域に複数設定された静止画表示領域に静止画を表示する機能と、抽出した前記各静止画データを記録媒体に記録する機能と、をコンピュータに実行させることを特徴とする画像処理プログラムを提供する。
【００１１】
本発明によれば、静止画抽出指令が入力されると、その静止画抽出指令が入力された瞬間の直前、直後又は前後の静止画データが、その静止画抽出指令が入力された瞬間の静止画データとともに、所定コマ数分、所定間隔をもって動画データから抽出され、記録媒体に記録される。また、抽出された静止画データは、動画と共にモニタ上に再生表示される。この際、静止画は、動画が表示される動画表示領域とは異なる静止画表示領域に表示される。
【００１２】
また、請求項２に係る発明は、前記目的を達成するために、記録媒体に記録された動画データを再生処理し、モニタ上に設定された動画表示領域に動画を表示する動画再生手段と、前記動画表示領域に表示された動画中の１コマに対して静止画としての記録を指示する記録指示手段と、前記記録指示手段から与えられた記録指示に応じて、その記録指示が与えられた瞬間の直前、直後又は前後の静止画データを前記記録指示が与えられた瞬間の静止画データとともに所定コマ数分、所定間隔で前記動画データから抽出する静止画データ抽出手段と、前記静止画データ抽出手段で抽出した各静止画データを再生処理して、前記モニタ上の前記動画表示領域とは異なる領域に複数設定された静止画表示領域に静止画を表示する静止画再生手段と、前記静止画データ抽出手段で抽出した各静止画データを記録媒体に記録する記録手段と、を備えたことを特徴とする画像処理装置を提供する。
【００１３】
本発明によれば、動画の再生中に記録指示手段から記録指示が与えられると、その記録指示が与えられた瞬間の直前、直後又は前後の画データが、その記録指示が与えられた瞬間の静止画データとともに、静止画データ抽出手段によって所定コマ数分、所定間隔をもって動画データから抽出される。抽出された静止画データは、動画データとは別に記録手段によって記録媒体に記録される。これにより、選択した画を含めた周辺画を取得できるとともに、連写のように切り出すことができる。また、抽出された静止画データは、静止画再生手段によって動画と共にモニタ上に再生表示される。この際、静止画は、動画が表示される動画表示領域とは異なる静止画表示領域に表示される。これにより、動画から抽出した静止画を一目で把握することができる。
【００１４】
また、請求項３に係る発明は、前記目的を達成するために、前記動画データから抽出する静止画データのコマ数、間隔を指示する抽出条件指示手段を備え、前記静止画データ抽出手段は、該抽出条件指示手段で指示されたコマ数、間隔で前記動画データから前記静止画データを抽出することを特徴とする請求項２に記載の画像処理装置を提供する。
【００１５】
本発明によれば、静止画を切り出すコマ数、間隔を任意に指定することができる。
【００１６】
また、請求項４に係る発明は、前記目的を達成するために、前記静止画データ抽出手段で抽出した各静止画データの記録の実行を指示する記録実行指示手段を備え、前記記録手段は、該記録実行指示手段からの記録実行の指示に基づいて前記静止画データ抽出手段で抽出した各静止画データを記録媒体に記録することを特徴とする請求項２又は３に記載の画像処理装置を提供する。
【００１７】
本発明によれば、記録実行指示手段からの記録実行指令に基づいて抽出した静止画データの記録が行なわれる。これにより、無駄な記録を防止することができる。
【００１８】
また、請求項５に係る発明は、前記目的を達成するために、撮影光学系と、撮像素子と、前記撮影光学系を介して前記撮像素子で撮像される画を所定の周期で連続的に取り込み、動画データを作成する動画データ作成手段と、前記動画データ作成手段によって作成された動画データを記録媒体に記録する動画データ記録手段と、を備えたことを特徴とする請求項２、３又は４に記載の画像処理装置を提供する。
【００１９】
本発明によれば、画像処理装置自体に動画の記録機能が備えられており、画像処理装置で記録された動画データに対して静止画の抽出、記録処理を行なうことができる。
【００２０】
【発明の実施の形態】
以下、添付図面に従って本発明に係る画像処理プログラム及び画像処理装置の好ましい実施の形態について詳説する。
【００２１】
図１〜図３は、それぞれ本発明が適用されたカメラの一実施形態を示す正面図、側面図、背面図である。
【００２２】
このカメラ１０は、静止画と動画の両方の記録再生機能を備えたデジタルカメラであり、そのカメラボディ１２の正面には、撮影レンズ１４、ストロボ１６、ストロボ調光センサ１８、セルフタイマーランプ２０が設けられている。また、カメラボディ１２の側面には、シャッターボタン２２、ズームレバー２４、ストロボボタン２６、マクロボタン２８等が設けられており、背面には、液晶モニタ３０、表示ボタン３２、メニュー／ＯＫボタン３４、十字ボタン３６、ＢＡＣＫボタン３８、電源ボタン４０、モードスイッチ４２、スピーカ４４等が設けられている。なお、図には示されていないが、カメラボディ１２の上面には、マイクが設けられている。
【００２３】
モードスイッチ４２は、カメラ１０のモードを設定するスイッチとして機能し、このモードスイッチ４２をスライド操作することにより、カメラ１０のモードが「スチルモード」、「ムービーモード」、「再生モード」のいずれか１つに設定される。ここで、「スチルモード」は、静止画の記録を行なうモードであり、「ムービーモード」は、動画の記録を行なうモードである。そして、「再生モード」は、記録された静止画又は動画の再生を行なうモードである。
【００２４】
シャッターボタン２２は、スチルモードの下、静止画の撮影実行を指示するボタンとして機能するとともに、ムービーモードの下、動画の撮影開始と停止を指示するボタン（いわゆる録画ボタン）として機能する。このシャッターボタンは、「半押し」と「全押し」の二段式のスイッチで構成されており、「半押し」でスイッチＳ１がＯＮになり、「全押し」でスイッチＳ２がＯＮになる。
【００２５】
ズームレバー２４は、撮影時に撮影画像のズーム（テレ／ワイド）を指示するボタンとして機能するとともに、再生時に表示画像のズーム（拡大／縮小）を指示するスイッチとして機能する。このズームレバー２４は、上下方向にスライド自在に設けられており、上方向に操作することにより、ズームがテレ側（撮影時）又は拡大側（再生時）に操作され、下方向に操作することにより、ズームがワイド側（撮影時）又は縮小側（再生時）に操作される。
【００２６】
ストロボボタン２６は、スチルモードの下、ストロボモードを選択するボタンとして機能し、マクロボタン２８は、スチルモードの下、マクロ機能のＯＮ／ＯＦＦを指示するボタンとして機能する。
【００２７】
液晶モニタ３０は、記録メディアに記録された画像ファイルの再生用画面として使用されるほか、撮影中のリアルタイム映像（スルー画）が表示されて電子ビューファインダとして使用される。また、ユーザが各種設定操作を行う際にメニューの表示画面として使用されるとともに、撮影した画像の編集用画面として使用される。表示ボタン３２は、この液晶モニタ３０の表示切替を指示するボタンとして機能する。
【００２８】
メニュー／ＯＫボタン３４は、各モードの通常画面からメニュー画面への遷移を指示するボタンとして機能するとともに、選択内容の確定（登録）や処理の実行（確認）を指示するボタンとして機能する。
【００２９】
十字ボタン３６は、上下左右四方向の指示を入力するボタンとして機能し、メニュー画面などから所望の項目を選択したり、各メニューにおける各種設定項目の選択内容を指示する際に使用される。
【００３０】
ＢＡＣＫボタン３８は、入力操作のキャンセル等を指示するボタンとして機能し、各種設定操作等を途中でやめるときなどに使用される。
【００３１】
図４は、図１〜図３に示した本実施の形態のカメラ１０の内部構成を示すブロック図である。
【００３２】
同図において、ＣＰＵ５０は本カメラシステムを統括制御する制御部であり、上述したシャッターボタン２２、ズームレバー２４、ストロボボタン２６、マクロボタン２８、表示ボタン３２、メニュー／ＯＫボタン３４、十字ボタン３６、ＢＡＣＫボタン３８、電源ボタン４０、モードスイッチ４２等のカメラ操作部５４からの入力に基づき所定のプログラムに従って各回路を統括制御する。ＲＯＭ５２には、このＣＰＵ５０が処理するプログラム及び制御に必要な各種データ等が格納されている。
【００３３】
撮影レンズ１４を通過した光は、絞り５６によって光量が調節された後、ＣＣＤ５８に入射する。ＣＣＤ５８の受光面には、フォトセンサが平面的に配列されており、撮影レンズ１４を介してＣＣＤ５８の受光面に結像された被写体像は、各フォトセンサによって入射光量に応じた量の信号電荷に変換される。
【００３４】
各フォトセンサに蓄積された信号電荷は、ＣＣＤドライバ６０から与えられるパルスに基づいて信号電荷に応じた電圧信号（画像信号）として順次読み出され、アナログ信号処理部６２に出力される。
【００３５】
アナログ信号処理部６２は、サンプリングホールド回路、色分離回路、ゲイン調整回路等の信号処理部を含み、このアナログ信号処理部６２において、相関二重サンプリング（ＣＤＳ）処理並びにＲ，Ｇ，Ｂの各色信号に色分離処理が施され、各色信号の信号レベルの調整（プリホワイトバランス処理）が行われる。アナログ信号処理部６２から出力された信号は、Ａ／Ｄ変換器６４によりデジタル信号に変換された後、内蔵バッファ６６を介してＲＡＭ６８に格納され、ＲＡＭ６８からデジタル信号処理部７０へ出力される。
【００３６】
なお、ＣＣＤドライバ６０、アナログ信号処理部６２及びＡ／Ｄ変換器６４には、タイミングジェネレータ６７からタイミング信号が与えられ、このタイミング信号によって各回路の同期がとられている。
【００３７】
デジタル信号処理部７０は、輝度・色差信号生成回路、ガンマ補正回路、シャープネス補正回路、コントラスト補正回路、ホワイトバランス補正回路等の画像信号処理部及び音声信号処理部を含むデジタルシグナルプロセッサ（ＤＳＰ）で構成され、ＣＰＵ５０からのコマンドに従って画像信号及び音声信号を処理する。デジタル信号処理部７０に入力された画像データは、輝度信号（Ｙ信号）及び色差信号（Ｃｒ，Ｃｂ  信号）に変換されるとともに、ガンマ補正等の所定の処理が施され、ＲＡＭ６８に格納される。
【００３８】
ＲＡＭ６８に格納された輝度・色差信号（ＹＣ信号）は、ＶＲＡＭ７６に出力され、ＶＲＡＭ７６からエンコーダ７８に出力される。エンコーダ７８に出力されたＹＣ信号は、ここでキャラクタジェネレータ８０から供給される文字や記号、図形データと共に表示用の所定方式の信号（例えば、ＮＴＳＣ方式のカラー複合映像信号）に変換され、Ｄ／Ａ変換器８２を介して液晶モニタ３０に出力される。これにより、画像データの画像内容が液晶モニタ３０の画面上に表示される。
【００３９】
そして、ＣＣＤ５８から出力される画像信号によってＲＡＭ６８内の画像データが定期的に書き換えられ、その画像データから生成される映像信号が液晶モニタ３０に供給されることにより、ＣＣＤ５８を介して入力される画像がリアルタイムに液晶モニタ３０に表示される。撮影者は、この液晶モニタ３０に映し出される画像（スルー画）を確認することにより、撮影画角、ピント状態等を確認することができる。
【００４０】
モードスイッチ４２によりスチルモードが選択されると、静止画の記録が可能になり、この状態でシャッターボタン２２が半押しされると（Ｓ１ＯＮ）、ＡＦ制御が行なわれ、主要被写体にピントが合わせられる。このＡＦ制御は、たとえばコントラストＡＦにより行なわれ、Ｇ信号の高周波成分が最大になるように撮影レンズ１４を移動させて、主要被写体にピントを合わせる。
【００４１】
また、これと同時に測光が行なわれ、被写体輝度（撮影ＥＶ値）が求められる。そして、求めた撮影ＥＶ値に基づいて撮影時の絞り値とシャッタースピード（電荷蓄積時間）が決定される。測光は、たとえばＲ、Ｇ、Ｂ信号を取り込み、これらのＲ、Ｇ、Ｂ信号を積算した積算値に基づいて撮影ＥＶ値が求められる。
【００４２】
この後、シャッターボタン２２が全押しされると（Ｓ２ＯＮ）、決定した絞り値、シャッタースピードで撮影が行なわれ、１コマ分の画像データがＲＡＭ６８に取り込まれる。ＲＡＭ６８に取り込まれた画像データは、デジタル信号処理部７０で所定の信号処理が施された後、ＲＡＭ６８を介して圧縮伸張処理部８４に送られる。
【００４３】
圧縮伸張処理部８４は、ＣＰＵ５０からの指示に従い画像データを所定の圧縮フォーマット（たとえばＪＰＥＧ）で圧縮し、圧縮された画像データは、所定形式の静止画ファイルとして、カードインターフェース８６を介してメモリカード８８に記録される。
【００４４】
図５は静止画ファイルの構造を示す概念図である。同図に示すように、静止画ファイルは、ヘッダ及び静止画データで構成される。ヘッダには、総ファイルサイズ、データフォーマット等のヘッダ情報やサムネイル画像データ等が記録され、静止画データの部分には、所定の圧縮フォーマット（たとえばＪＰＥＧ）で圧縮された画像データが記録される。
【００４５】
モードスイッチ４２によってムービーモードが選択されたときには、音声付き動画の記録が可能となる。この状態でシャッターボタン２２が全押しされると（Ｓ２ＯＮ）、録画動作がスタートし、あらかじめ設定されたフレームレートで画像データがＲＡＭ６８に取り込まれる。ＲＡＭ６８に取り込まれた画像データは、デジタル信号処理部７０で所定の信号処理が施されたのち、ＲＡＭ６８を介して圧縮伸張処理部８４に送られる。
【００４６】
圧縮伸張処理部８４は、ＣＰＵ５０からの指示に従い画像データを所定の圧縮フォーマット（たとえばモーションＪＰＥＧ）で圧縮し、圧縮された画像データは、所定形式の動画ファイル（たとえばＡＶＩファイル）として、カードインターフェース８６を介してメモリカード８８に記録される。
【００４７】
なお、録画動作は、シャッターボタン２２を更にもう一度全押しすることにより終了する。また、動画内の音声データは、図示しないマイクからの信号をアンプで増幅し、Ａ／Ｄ変換することによって取得される。
【００４８】
図６は動画ファイルの構造を示す概念図である。同図に示すように、動画ファイルは、ヘッダ、動画データ及びデータインデックスで構成される。
【００４９】
ヘッダには、総ファイルサイズ、総フレーム数、総音声サイズなどのヘッダ情報や先頭フレームのサムネイル画像データ等が記録される。
【００５０】
動画データの部分には動画データ本体が記録される。動画データ本体は、各フレームの画像を形成する静止画の画像データが、所定の圧縮フォーマット（たとえばＪＰＥＧ）で圧縮された画像データ（Ｖｉｄｅｏ  Ｄａｔａ）と、それぞれに対応する音声データ（Ａｕｄｉｏ  Ｄａｔａ）がインターリーブされて記録される。
【００５１】
データインデックスには、動画データ内の個々の画像データ（Ｖｉｄｅｏ  Ｄａｔａ  ）及び音声データ（Ａｕｄｉｏ  Ｄａｔａ）へのアクセスに必要な情報（アドレス等）が記録され、このインデックス情報によって音声データが１秒ごとに管理され、圧縮画像データが１フレームごとに管理される。
【００５２】
モードスイッチ４２によって再生モードが選択されると、メモリカード８８に記録された画像ファイルの再生が可能になり、メモリカード８８に最後に記録された画像ファイルの画像が液晶モニタ３０に表示される。このとき、最後に記録された画像ファイルが動画ファイルの場合は、先頭フレームの画像が表示され、この状態で十字ボタン３６の左右キーを押すことにより、順次コマ送りされて再生される。
【００５３】
静止画ファイルの再生は、まず、ＣＰＵ５０からの指令に基づき静止画ファイルに収納された圧縮画像データがＲＡＭ６８に読み出される。そして、ＲＡＭ６８から圧縮伸張処理部８４に送られて伸長処理が施される。伸張された画像データは、ＶＲＡＭ７６に送られ、ＶＲＡＭ７６からエンコーダ７８に出力される。エンコーダ７８に出力された画像データは、ここでキャラクタジェネレータ８０から供給される文字や記号、図形データと共に表示用の所定方式の信号に変換され、Ｄ／Ａ変換器８２を介して液晶モニタ３０に出力される。これにより、静止画ファイルの画像が液晶モニタ３０に再生表示される。
【００５４】
一方、動画ファイルの再生は、ＣＰＵ５０からの指令に基づき動画ファイルに収納された圧縮画像データが１フレームずつＲＡＭ６８に読み出される。そして、ＲＡＭ６８から圧縮伸張処理部８４に順次送られ、伸長処理が施される。伸張された各フレームごとの静止画像データは、順次ＶＲＡＭ７６に送られ、ＶＲＡＭ７６からエンコーダ７８に出力される。エンコーダ７８に出力された各フレームごとの静止画像データは、ここでキャラクタジェネレータ８０から供給される文字や記号、図形データと共に表示用の所定方式の信号に変換され、Ｄ／Ａ変換器８２を介して液晶モニタ３０に出力される。これにより、液晶モニタ３０上に静止画像が順次更新されて表示され、動画像が形成される。
【００５５】
なお、動画ファイルの再生は、液晶モニタ３０に先頭フレームの画像が示されている状態で所定の操作ボタン（たとえば、十字ボタン３６の下キーを押すと開始される。）を操作すると開始される。
【００５６】
さて、本実施の形態のカメラ１０は、動画編集機能を備えており、メモリカード８８に記録された撮影済みの動画から気に入ったシーンを切り出し、静止画として別ファイルに記録することができる。この際、本実施の形態のカメラ１０では、選択したシーンだけでなく、選択したシーンを含む周辺画像も同時に記録することができる。
【００５７】
以下、本実施の形態のカメラ１０の動画編集機能、すなわち静止画の切り出し機能について説明する。
【００５８】
動画ファイルの編集操作を行なう場合、まず、モードスイッチ４２を再生モードに設定する。
【００５９】
上記のように、カメラ１０のモードを再生モードに設定すると、液晶モニタ３０には、メモリカード８８に最後に記録された画像ファイルの画像（動画ファイルの場合には先頭フレームの画像）が表示される。この状態から十字ボタン３６の左右キーにてコマ送りを行い、図７（ａ）に示すように、編集操作を行なう動画ファイルを選択する。
【００６０】
選択後、メニュー／ＯＫボタン３４を押し、液晶モニタ３０にメニュー画面を呼び出す。なお、ここでは、図７（ｂ）に示すように、各メニュー項目がアイコンで表示されるものとし、このアイコンの中から十字ボタン３６の左右キーを利用して、「動画編集」に対応するアイコンを選択する。
【００６１】
「動画編集」のアイコンを選択すると、液晶モニタ３０には「動画編集」のメニューが表示され、この「動画編集」のメニューの中から十字ボタン３６の上下キーを利用して、「静止画切り出し」の項目を選択する。なお、ここでは「動画編集」のメニューとして、「静止画切り出し編集」と「動画切り出し編集」と用意されているものとする。「動画切り出し編集」は、動画から気に入った範囲を切り出し、元の動画とは別ファイルに記録するものである。
【００６２】
「静止画切り出し編集」の項目が選択されると、液晶モニタ３０には、図８（ａ）に示すように、「静止画切り出し編集」のモード選択画面が表示される。ここで、静止画切り出し編集のモードとしては、気に入ったシーンのみを切り出す「単写モード」と、気に入ったシーンの周辺画像を連写のように切り出す「連写モード」が設定されているものとし、この２つのモードの中から十字ボタン３６の上下キーを利用して、「連写」モードを選択する。
【００６３】
「連写モード」を選択後、メニュー／ＯＫボタン３４を押すと、液晶モニタ３０には、図８（ｂ）に示すように、連写モードの設定画面が表示され、この設定画面で、切り出し条件の設定、すなわち、「切り出し範囲」、「切り出しコマ数」、「切り出し間隔」の設定が行なわれる。
【００６４】
「切り出し範囲」は、静止画を切り出す範囲をどの範囲にするか指定するもので、「直前」、「直後」、「前後」の範囲で指定することができる。「直前」は、静止画としての抽出指令が出された直前の数コマを記録するものであり、「直後」は、抽出指令が出された直後の数コマを記録するものである。また、「前後」は、抽出指令が出された前後数コマを記録するものである。
【００６５】
「切り出しコマ数」は、静止画として切り出すコマ数（枚数）を指定するものであり、ここでは、たとえば「３コマ」、「５コマ」、「７コマ」を指定できるものとしている。
【００６６】
「切り出し間隔」は、静止画として切り出す間隔を指定するものであり、ここでは、たとえば「０．１ｓ」、「０．２ｓ」、「０．５ｓ」を指定できるものとしている。
【００６７】
この切り出し条件の設定画面で、たとえば、図８（ｂ）に示すように、「切り出し範囲」の設定を「直後」、「切り出しコマ数」の設定を「３コマ」、「切り出し間隔」の設定を「０．２ｓ」に設定すると、静止画の抽出指令が出された後、０．２秒間隔で３枚の静止画が切り出される。
【００６８】
この切り出し条件の設定は、十字ボタン３６を利用して行い、設定後、画面上に表示された「ＯＫ」マークのアイコンを選択して、メニュー／ＯＫボタン３４を押すと、設定した切り出し条件が確定される。
【００６９】
なお、ここでは静止画の切り出し条件が、図８（ｂ）に示す切り出し条件、すなわち、「切り出し範囲」が「直後」、「切り出しコマ数」が「３コマ」、「切り出し間隔」が「０．２ｓ」に設定されたものとして、以下の説明を行なう。
【００７０】
切り出し条件の設定が完了すると、液晶モニタ３０には、図９に示すように、静止画の連写切り出しを行なうための編集画面が表示される。
【００７１】
この静止画切り出し編集画面には、図９に示すように、編集対象の動画と、その動画から切り出した静止画と、再生進行状況を示す再生バーと、再生時間とが表示される。
【００７２】
ここで、編集対象の動画は、編集画面のほぼ中央に設けられた「動画表示領域」に再生表示され、動画から切り出した静止画は、「動画表示領域」の下方に設けられた「静止画表示領域▲１▼〜▲３▼」に表示される。また、再生バーは、「動画表示領域」の上方に表示され、再生時間は、その再生バーの隣に表示される。
【００７３】
初期状態において、「動画表示領域」には、編集対象の動画ファイルの先頭フレームの画像が表示される。この状態から十字ボタン３６の下キーが押されると、ＣＰＵ５０が、これを検知し、所定の編集プログラムに従って編集処理を開始する。
【００７４】
まず、液晶モニタ３０の「動画表示領域」に編集対象の動画ファイルが再生表示される。この際、ＣＰＵ５０は、編集対象の動画ファイルから１フレームずつ圧縮画像データを読み出し、ＲＡＭ６８の所定領域Ａに格納する。
【００７５】
ＲＡＭ６８の領域Ａに格納された圧縮画像データは、ＣＰＵ５０からの指令に基づき圧縮伸張処理部８４に送られ、ここで伸長処理が施される。伸張された静止画像データは、ＶＲＡＭ７６を介してエンコーダ７８に出力され、ここで表示用の所定方式の信号に変換されたのち、Ｄ／Ａ変換器８２を介して液晶モニタ３０に出力される。
【００７６】
このように、編集対象の動画ファイルから１フレームずつ圧縮画像データを読み出し、ＲＡＭ６８の領域Ａに格納される圧縮画像データを１フレームずつ書き換えながら処理する。これにより、液晶モニタ３０の「動画表示領域」に動画ファイル中の静止画データが１フレームずつ更新されて表示され、動画像が形成される。
【００７７】
なお、ＲＡＭ６８の領域Ａに格納された圧縮画像データは、圧縮伸張処理部８４に送られるとともに、ＣＰＵ５０からの指令に基づきＲＡＭ６８の所定領域Ｂに格納される。ＲＡＭ６８の領域Ｂには、複数コマ分の圧縮画像データを蓄積でき（たとえば１０コマ分）、容量が一杯になると、古い圧縮画像データから順に消されて、新しい圧縮画像データに書き換えられてゆく。
【００７８】
また、ＣＰＵ５０は、動画の再生開始と同時に再生の進行状況を示す「再生バー」と「再生時間」をモニタ３０上に表示させる。すなわち、再生が開始されると、ＣＰＵ５０は、再生済みのフレーム数をカウントし、総フレーム数に対する割合を算出して、その変化の様子を「再生バー」としてバーグラフで表示させる。これにより、再生済の時間と全記録時間との割合がバーグラフで表示され、再生の進行状況を一目で把握できるようになる。なお、図９に示す例では、再生バーの中の墨塗りの領域が、再生の進行に応じて拡大するように表示される（たとえば、３０秒の動画ファイルが１５秒再生された場合、再生バーの中の墨塗りの領域が半分まで拡大して表示される。）。
【００７９】
図１０は、動画編集中における液晶モニタ３０の表示画面の一例を示している。ユーザは「動画表示領域」に再生表示される動画を確認し、気に入ったシーンが表示されたら、メニュー／ＯＫボタン３４を押す。
【００８０】
ここで、このメニュー／ＯＫボタン３４は、静止画切り出し編集モード下において、静止画の抽出指令を入力するボタンとして機能し、動画再生中に押されると、押された瞬間の画像（押された瞬間に「動画表示領域」に表示されていた画像）が抽出され、「静止画表示領域▲１▼」に表示される。そして、その０．２秒後と０．４秒後に「動画表示領域」に表示されていた画像が、再生時間の経過と共に「静止画表示領域▲２▼」と「静止画表示領域▲３▼」とに順に表示される。
【００８１】
すなわち、メニュー／ＯＫボタン３４が押されると、まず、その時「動画表示領域」に表示されていた画像に対応する圧縮画像データが、ＣＰＵ５０の指令に基づきＲＡＭ６８の領域Ｂから圧縮伸張処理部８４に送られる。また、これと同時にＲＡＭ６８の所定領域Ｃに格納される。
【００８２】
圧縮伸張処理部８４で伸張処理が施された画像データは、ＶＲＡＭ７６を介してエンコーダ７８に出力され、表示用の信号に変換したのち、Ｄ／Ａ変換器８２を介して液晶モニタ３０に出力される。これにより、メニュー／ＯＫボタン３４が押された瞬間の画像（選択画像）が「静止画表示領域▲１▼」に表示される。
【００８３】
一方、ＲＡＭ６８の所定領域Ｃに格納された圧縮画像データは、静止画ファイルとして記録するために保存される。
【００８４】
また、メニュー／ＯＫボタン３４が押されると、その選択ポイントが再生バー上に表示される。
【００８５】
メニュー／ＯＫボタン３４が押された瞬間の画像が、「静止画表示領域▲１▼」に表示されると、次に、その０．２秒後に「動画表示領域」に表示されていた画像に対応する圧縮画像データが、ＣＰＵ５０の指令に基づきＲＡＭ６８の領域Ｂから圧縮伸張処理部８４に送られる。また、これと同時にＲＡＭ６８の領域Ｃに格納される。圧縮伸張処理部８４で伸張処理が施された画像データは、ＶＲＡＭ７６、エンコーダ７８、Ｄ／Ａ変換器８２を介して液晶モニタ３０に出力され、これにより、選択画像から０．２秒後の画像が「静止画表示領域▲２▼」に表示される。
【００８６】
選択画像から０．２秒後の画像が、「静止画表示領域▲２▼」に表示されると、次に、その０．２秒後（メニュー／ＯＫボタン３４が押されてから０．４秒後）に「動画表示領域」に表示されていた画像に対応する圧縮画像データが、ＣＰＵ５０の指令に基づきＲＡＭ６８の領域Ｂから圧縮伸張処理部８４に送られる。また、これと同時にＲＡＭ６８の領域Ｃに格納される。圧縮伸張処理部８４で伸張処理が施された画像データは、ＶＲＡＭ７６、エンコーダ７８、Ｄ／Ａ変換器８２を介して液晶モニタ３０に出力され、これにより、選択画像から０．４秒後の画像が「静止画表示領域▲３▼」に表示される。
【００８７】
このように、動画再生中にメニュー／ＯＫボタン３４が押されると、その時「動画表示領域」に表示されていた画像と、その０．２秒後の画像と、０．４秒後の画像とが抽出され、「静止画表示領域▲１▼〜▲３▼」に順に表示される。
【００８８】
以上のように、動画再生中にメニュー／ＯＫボタン３４が押されると、そのメニュー／ＯＫボタン３４が押された瞬間に「動画表示領域」に表示されていた画像、及び、その０．２秒後と０．４秒後に「動画表示領域」に表示されていた画像が、それぞれ「静止画表示領域▲１▼」、「静止画表示領域▲２▼」、「静止画表示領域▲３▼」に表示される。
【００８９】
静止画として記録する画像が選択された後も動画再生は継続して行なわれ、この動画再生が終了すると、図１１に示すように、液晶モニタ３０の表示が切り替わり、抽出画像の一覧がインデックス表示される。すなわち、動画再生が終了すると、液晶モニタ３０の表示が一旦クリアされ、ＲＡＭ６８の領域Ｃに記録されている圧縮画像データに基づいて、動画再生中に抽出した３つの画像が液晶モニタ３０にインデックス表示される。また、このインデックス表示と共に静止画として記録するか否かのメッセージが併せて表示される。
【００９０】
ユーザは、抽出された画像を静止画ファイルとして動画ファイルとは別に記録する場合は、メニュー／ＯＫボタン３４を押し、記録しない場合は、ＢＡＣＫボタン３８を押す。
【００９１】
メニュー／ＯＫボタン３４が押されると、ＣＰＵ５０の指令に基づきＲＡＭ６８の領域Ｃに格納されていた各フレームの画像データが順次読み出され、所定形式の静止画ファイルとして、カードインターフェース８６を介してメモリカード８８に記録される。この際、静止画ファイルのヘッダには、付加情報として動画ファイルの中の位置データ、すなわち、どのフレームの画像データが抽出されたのかを示すデータが記録される。
【００９２】
一方、ＢＡＣＫボタン３８が押されると、液晶モニタ３０に初期画面が表示され（図９参照）、同じ動画ファイルに対して再度編集処理ができるようにされる。また、これと同時にＲＡＭ６８の領域Ｂ及びＣに格納された各フレームの画像データがクリアされる。
【００９３】
以上説明したように、本実施の形態のカメラ１０は、撮影済みの動画ファイルの編集操作を行なうことができ、動画中の気に入ったシーンを複数コマ、一定間隔で連写のように抽出することができる。この際、静止画の抽出指令は、動画を再生しながら行なうことができ、抽出指令が出されると、抽出された静止画像が動画の再生画面と同じ画面上に表示される。これにより、抽出した画像を一目で把握することができ、簡単に編集作業を行なうことができる。
【００９４】
なお、本実施の形態では、編集用の動画再生が終了すると、抽出した画像一覧がインデックス表示され、静止画ファイルとしての記録の要否を問うようにしているが、動画再生が終了すると、インデックス表示は行なわずに、自動的に抽出したフレームの画像を静止画ファイルとして記録するようにしてもよい。
【００９５】
また、本実施の形態では、メニュー／ＯＫボタン３４が押された瞬間から０．２秒おきに３コマの画像を抽出する場合を例に説明したが、５コマの画像を抽出する場合には、たとえば、図１２に示すように、「動画表示領域」の上部及び右側部に沿って５コマ分の「静止画表示領域▲１▼〜▲５▼」を設ける。また、７コマの画像を抽出する場合には、たとえば、図１３に示すように、「動画表示領域」の両側部及び下部に沿って７コマ分の「静止画表示領域▲１▼〜▲７▼」を設ける。
【００９６】
また、３コマの画像を抽出する場合であっても、図１４に示すように、右側部にそって３コマ分の「静止画表示領域▲１▼〜▲３▼」を設けてもよい。
【００９７】
このように、動画編集時の画面レイアウトは、メモリカード８８に記録された動画が再生表示される「動画表示領域」と、その動画から抽出した静止画が再生表示される「静止画表示領域」とを備え、かつ、「静止画表示領域」が「動画表示領域」と異なる領域に表示されていればよく、液晶モニタ３０の大きさ等に応じて適宜変更することができる。
【００９８】
また、「静止画表示領域」の数は、抽出する静止画のコマ数に合わせる必要はなく、少なくとも１以上あればよい。たとえば、５コマの静止画を抽出する場合に３コマ分の「静止画表示領域」しか設けられていなくてもよい。同様に３コマの静止画を抽出する場合に１コマ分の「静止画表示領域」しか設けられていなくてもよい。
【００９９】
この場合、抽出した静止画をスクロールさせて「静止画表示領域」に再生表示させる。たとえば、図１５に示すように、３コマ分の「静止画表示領域」に５コマの静止画を抽出して表示させる場合は、最初に同図（ａ）に示すように、１コマ目から３コマ目までを「静止画表示領域▲１▼」〜「静止画表示領域▲３▼」に順に表示させてゆく。そして、４コマ目を表示させる段階で同図（ｂ）に示すように、「静止画表示領域▲１▼」に表示されていた１コマ目の画像を消すとともに、１コマずつずらして表示する。すなわち、「静止画表示領域▲１▼」に２コマ目の画像を表示させるとともに、「静止画表示領域▲２▼」に３コマ目の画像を表示させ、「静止画表示領域▲３▼」に新たに抽出した４コマ目の画像を表示させる。同様に５コマ目を表示させる時には、同図（ｃ）に示すように、「静止画表示領域▲１▼」に表示されていた２コマ目の画像を消して３コマ目の画像を表示させるとともに、「静止画表示領域▲２▼」に４コマ目の画像を表示させ、「静止画表示領域▲３▼」に新たに抽出した５コマ目の画像を表示させる。
【０１００】
このように、あらかじめ用意された「静止画表示領域」の数よりも多い数の静止画を抽出する場合は、抽出した静止画を「静止画表示領域」にスクロールさせて表示する。なお、スクロールの方向は任意であり、図１５の表示態様（動画編集時の画面の表示態様）の場合、下方向にスクロールさせてもよい（図９の表示態様の場合は、右方向あるいは左方向にスクロールさせる。）。
【０１０１】
また、本実施の形態では、抽出指令が出された「直後」の画像を抽出する場合を例に説明したが、「直前」の画像を抽出する場合は、次のように行われる。
【０１０２】
たとえば、抽出指令が出された「直前」の画像を０．２秒間隔で３コマ抽出する場合、動画再生中にメニュー／ＯＫボタン３４が押されると、まず、その０．４秒前に「動画表示領域」に表示されていた画像に対応する圧縮画像データが、ＣＰＵ５０の指令に基づきＲＡＭ６８の領域Ｂから圧縮伸張処理部８４に送られると共にＲＡＭ６８の所定領域Ｃに格納される。
【０１０３】
圧縮伸張処理部８４で伸張処理が施された画像データは、ＶＲＡＭ７６、エンコーダ７８、Ｄ／Ａ変換器８２を介して液晶モニタ３０に出力され、これにより、０．４秒前の画像が「静止画表示領域▲１▼」に表示される。一方、ＲＡＭ６８の所定領域Ｃに格納された圧縮画像データは、静止画ファイルとして記録するために保存される。
【０１０４】
０．４秒前の画像が「静止画表示領域▲１▼」に表示されると、次に、メニュー／ＯＫボタン３４が押された瞬間の０．２秒前に「動画表示領域」に表示されていた画像に対応する圧縮画像データが、ＣＰＵ５０の指令に基づきＲＡＭ６８の領域Ｂから圧縮伸張処理部８４に送られると共にＲＡＭ６８の領域Ｃに格納される。圧縮伸張処理部８４で伸張処理が施された画像データは、ＶＲＡＭ７６、エンコーダ７８、Ｄ／Ａ変換器８２を介して液晶モニタ３０に出力され、これにより、０．２秒前の画像が「静止画表示領域▲２▼」に表示される。
【０１０５】
０．２秒後の画像が「静止画表示領域▲２▼」に表示されると、次に、そのメニュー／ＯＫボタン３４が押された瞬間に「動画表示領域」に表示されていた画像に対応する圧縮画像データが、ＣＰＵ５０の指令に基づきＲＡＭ６８の領域Ｂから圧縮伸張処理部８４に送られる。また、これと同時にＲＡＭ６８の領域Ｃに格納される。圧縮伸張処理部８４で伸張処理が施された画像データは、ＶＲＡＭ７６、エンコーダ７８、Ｄ／Ａ変換器８２を介して液晶モニタ３０に出力され、これにより、メニュー／ＯＫボタン３４が押された瞬間の画像が「静止画表示領域▲３▼」に表示される。
【０１０６】
このように、抽出指令が出された「直前」の画像を０．２秒間隔で３コマ抽出する場合、メニュー／ＯＫボタン３４が押されると、その０．４秒前の画像と、０．２秒前の画像と、押された瞬間の画像とが抽出され、「静止画表示領域▲１▼〜▲３▼」に順に表示される。５コマあるいは７コマの静止画を抽出する場合も同様である。
【０１０７】
なお、動画再生が終了すると、抽出画像の一覧がインデックス表示され、静止画として記録するか否か問われた後、記録が実行される点は、上記実施の形態の場合と同じである。
【０１０８】
また、抽出指令が出された「前後」の画像を抽出する場合は、次のように行われる。
【０１０９】
たとえば、抽出指令が出された「前後」の画像を０．２秒間隔で３コマ抽出する場合、動画再生中にメニュー／ＯＫボタン３４が押されると、まず、その０．２秒前に「動画表示領域」に表示されていた画像に対応する圧縮画像データが、ＣＰＵ５０の指令に基づきＲＡＭ６８の領域Ｂから圧縮伸張処理部８４に送られると共にＲＡＭ６８の所定領域Ｃに格納される。
【０１１０】
圧縮伸張処理部８４で伸張処理が施された画像データは、ＶＲＡＭ７６、エンコーダ７８、Ｄ／Ａ変換器８２を介して液晶モニタ３０に出力され、これにより、０．２秒前の画像が「静止画表示領域▲１▼」に表示される。一方、ＲＡＭ６８の所定領域Ｃに格納された圧縮画像データは、静止画ファイルとして記録するために保存される。
【０１１１】
０．２秒前の画像が「静止画表示領域▲１▼」に表示されると、次に、メニュー／ＯＫボタン３４が押された瞬間に「動画表示領域」に表示されていた画像に対応する圧縮画像データが、ＣＰＵ５０の指令に基づきＲＡＭ６８の領域Ｂから圧縮伸張処理部８４に送られると共にＲＡＭ６８の領域Ｃに格納される。圧縮伸張処理部８４で伸張処理が施された画像データは、ＶＲＡＭ７６、エンコーダ７８、Ｄ／Ａ変換器８２を介して液晶モニタ３０に出力され、これにより、０．２秒前の画像が「静止画表示領域▲２▼」に表示される。
【０１１２】
メニュー／ＯＫボタン３４が押された瞬間の画像が「静止画表示領域▲２▼」に表示されると、次に、そのメニュー／ＯＫボタン３４が押された瞬間から０．２秒後に「動画表示領域」に表示されていた画像に対応する圧縮画像データが、ＣＰＵ５０の指令に基づきＲＡＭ６８の領域Ｂから圧縮伸張処理部８４に送られる。また、これと同時にＲＡＭ６８の領域Ｃに格納される。圧縮伸張処理部８４で伸張処理が施された画像データは、ＶＲＡＭ７６、エンコーダ７８、Ｄ／Ａ変換器８２を介して液晶モニタ３０に出力され、これにより、メニュー／ＯＫボタン３４が押された瞬間から０．２秒後の画像が「静止画表示領域▲３▼」に表示される。
【０１１３】
このように、抽出指令が出された「前後」の画像を０．２秒間隔で３コマ抽出する場合、メニュー／ＯＫボタン３４が押されると、その０．２秒前の画像と、押された瞬間の画像と、押された瞬間から０．２秒後の画像とが抽出され、「静止画表示領域▲１▼〜▲３▼」に順に表示される。５コマあるいは７コマの静止画を抽出する場合も同様である。
【０１１４】
なお、動画再生が終了すると、抽出画像の一覧がインデックス表示され、静止画として記録するか否か問われた後、記録が実行される点は、上記実施の形態の場合と同じである。
【０１１５】
また、本実施の形態のカメラでは、動画編集時の画面に再生の進行状況を示す再生バーを表示し、その再生バー上に静止画を切り出した選択ポイントを表示するようにしているが、この表示を行なうか否かは任意である。表示した場合は、動画の再生状況を容易に把握できると同時に静止画の抽出ポイントを一目で把握することができる。一方、表示しない場合は、限られた液晶モニタ３０の表示画面を広く使用することができ、静止画表示領域の数を増やしたり、大きさを拡大したりすることができる。
【０１１６】
また、静止画が抽出された動画ファイルには、そのヘッダ部分に抽出された静止画の情報を記録しておくようにしてもよい。たとえば、メニュー／ＯＫボタン３４が押された瞬間の静止画のサムネイル画像データを作成してヘッダに記録し、そのサムネイル画像データを動画の代表画像としてもよい。あるいは、メニュー／ＯＫボタン３４が押された瞬間の静止画のサムネイル画像データと、その位置情報（何フレーム目の画像かを示す情報）等をヘッダに記録し、メニュー／ＯＫボタン３４が押された瞬間から再生を開始できるようにしてもよい。
【０１１７】
また、本実施の形態では、動画編集中にメニュー／ＯＫボタン３４を押すことにより、静止画の抽出指令を入力しているが、他のボタン、たとえばシャッターボタンから入力してもよい。
【０１１８】
さらに、動画から静止画を抽出し、記録／再生させる方法についても本実施の形態のものに限定するものではなく、他の公知の手法を用いて、動画から静止画を抽出し、記録／再生させるようにしてもよい。
【０１１９】
なお、上述した一連の実施の形態では、本発明をデジタルスチルカメラに適用した場合を例に説明したが、本発明の適用は、これに限定されるものではなく、たとえば、液晶モニタを備えたデジタルビデオカメラやＰＤＡ等にも適用することができる。また、本発明に係る動画編集処理及び再生処理をパーソナルコンピュータ用のアプリケーションソフトとして提供し、パーソナルコンピュータで上述した動画編集処理及び再生処理を実行するようにしてもよい。
【０１２０】
【発明の効果】
以上説明したように、本発明によれば、動画ファイルの再生中にユーザが気に入ったシーンの周辺画像を連写のように抽出することができる。また、抽出した画像を動画の再生画面と同じ画面上で確認することができる。これにより、動画から静止画を連写のように抜き出して、保存するという編集処理を簡単に行なうことができる。
【図面の簡単な説明】
【図１】本発明が適用されたカメラの一実施形態を示す正面図
【図２】本発明が適用されたカメラの一実施形態を示す側面図
【図３】本発明が適用されたカメラの一実施形態を示す背面図
【図４】本発明が適用されたカメラの内部構成を示すブロック図
【図５】静止画ファイルの構造を示す概念図
【図６】動画ファイルの構造を示す概念図
【図７】動画編集時のメニュー画面の表示例を示す図
【図８】静止画切り出し編集時のメニュー画面の表示例を示す図
【図９】静止画切り出し編集画面の表示例を示す図
【図１０】静止画切り出し編集中の液晶モニタの表示例を示す図
【図１１】静止画切り出し編集後の液晶モニタの表示例を示す図
【図１２】静止画切り出し編集画面の他の表示例を示す図
【図１３】静止画切り出し編集画面の他の表示例を示す図
【図１４】静止画切り出し編集画面の他の表示例を示す図
【図１５】静止画切り出し編集画面の他の表示例を示す図
【符号の説明】
１０…カメラ、１２…カメラボディ、１４…撮影レンズ、３０…液晶モニタ、３４…メニュー／ＯＫボタン、３６…十字ボタン、３８…ＢＡＣＫボタン、４２…モードスイッチ、５０…ＣＰＵ、５２…ＲＯＭ、５８…ＣＣＤ、６２…アナログ信号処理部、６４…Ａ／Ｄ変換器、６６…内蔵バッファ、６７…タイミングジェネレータ、６８…ＲＡＭ、７０…デジタル信号処理部、７６…ＶＲＡＭ、７８…エンコーダ、８０…キャラクタジェネレータ、８２…Ｄ／Ａ変換器、８４…圧縮伸張処理部、８６…カードインターフェース、８８…メモリカード
【図１】
2004312495.tif 000003
【図２】
2004312495.tif 000004
【図３】
2004312495.tif 000005
【図４】
2004312495.tif 000006
【図５】
2004312495.tif 000007
【図６】
2004312495.tif 000008
【図７】
2004312495.tif 000009
【図８】
2004312495.tif 000010
【図９】
2004312495.tif 000011
【図１０】
2004312495.tif 000012
【図１１】
2004312495.tif 000013
【図１２】
2004312495.tif 000014
【図１３】
2004312495.tif 000015
【図１４】
2004312495.tif 000016
【図１５】
2004312495.tif 000017